(57)【要約】【課題】携帯型電子機器において、プリント基板に傾斜や撓みが発生した場合にもプリント基板上の電子部品に対して十分な保護効果を得る。【解決手段】本発明に係る携帯型電子機器においては、第１キャビネット半体２と第２キャビネット半体３を組み合わせて構成されるキャビネット１の内部に、第１プリント基板４と第２プリント基板５が上下２段に配置され、第１プリント基板４は、第１キャビネット半体２の内面に対して接近離間する方向の遊びをもって支持されている。第１プリント基板４と第２プリント基板５の間には中間ブラケット８が介在し、該中間ブラケット８は、一対のブラケット部材の間にバネ９を介在させて構成され、一方のブラケット部材表面に貼着した保護シート７が、第１プリント基板４に搭載されたＢＧＡ４２の表面に圧着している。【選択図】　　　図１
2004095976.tif 000002
【特許請求の範囲】
【請求項１】
第１キャビネット半体（２）と第２キャビネット半体（３）を組み合わせて構成されるキャビネット（１）の内部に、互いに電気的に接続された第１プリント基板（４）と第２プリント基板（５）が上下２段に配置され、第１プリント基板（４）は第１キャビネット半体（２）の内面に取り付けられる一方、第２プリント基板（５）は第２キャビネット半体（３）の内面に取り付けられ、第１プリント基板（４）は、第１キャビネット半体（２）の内面に対して接近離間する方向の遊びをもって支持され、第１プリント基板（４）と第２プリント基板（５）の間には中間ブラケット（８）が介在し、該中間ブラケット（８）は、一対のブラケット部材（８１）（８２）の間にバネ（９）を介在させて構成され、該バネ（９）によって両ブラケット部材（８１）（８２）が互いに離間する方向に付勢され、一方のブラケット部材（８２）の表面が、第１プリント基板（４）に搭載された表面実装型の電子部品の表面に圧着していることを特徴とする携帯型電子機器。
【請求項２】
中間ブラケット（８）を構成する前記一方のブラケット部材（８２）の表面には、保護シート（７）が貼り付けられ、該保護シート（７）が前記表面実装型の電子部品の表面に圧着している請求項１に記載の携帯型電子機器。
【請求項３】
バネ（９）は、両ブラケット部材（８１）（８２）とは別体のコイル状に形成され、或いは何れか一方のブラケット部材（８１）の一部を切り起こして屈曲片状に形成されている請求項１又は請求項２に記載の携帯型電子機器。
【請求項４】
前記表面実装型の電子部品は、ＢＧＡ（４２）である請求項１乃至請求項３の何れかに記載の携帯型電子機器。
【発明の詳細な説明】
【０００１】
【発明の属する技術分野】
本発明は、携帯型オーディオプレーヤや携帯電話機の如く、キャビネットの内部に複数枚のプリント基板を配置して構成される携帯型電子機器に関するものである。
【０００２】
【従来の技術】
例えば、ＩＣメモリを内蔵した携帯型オーディオプレーヤ（ＩＣレコーダ）は、図１４に示す如く第１キャビネット半体（２）と第２キャビネット半体（３）を組み合わせて扁平なキャビネット（１）を構成しており、その表面には、ディスプレイ（１１）や操作キー（１２）が設置されている。
【０００３】
キャビネット（１）の内部には、図１６に示す如く、第１プリント基板（４）と第２プリント基板（５）が上下２段に配置され、両プリント基板（４）（５）に設置された一対のコネクター（４１）（５１）が互いに嵌合して、両プリント基板（４）（５）が互いに電気的に接続されている。
両プリント基板（４）（５）にはそれぞれ複数の電子部品が搭載され、その中の１つの電子部品として、第１プリント基板（４）には、第２プリント基板（５）との対向面に、ＢＧＡ（Ｂａｌｌ　Ｇｒｉｄ　Ａｒｒａｙ）（４２）が表面実装されている。
【０００４】
ＢＧＡ（４２）は、プリント基板に対する接合強度が低く、衝撃力に対して弱いため、図１５に示す如く表面に保護シート（７）を具えた中間ブラケット（６）を両プリント基板（４）（５）の間に介在させて、保護シート（７）をＢＧＡ（４２）の表面に圧着せしめた保護構造が採用されている。
図１６に示す如く、中間ブラケット（６）は、ブラケット本体（６０）の両側部に一対のフック（６１）（６１）を具え、該フック（６１）（６１）を第２プリント基板（５）の一対の貫通孔（５２）（５２）に係合させて、第２プリント基板（５）上に取り付けられる。
【０００５】
図１７に示す如く、第２プリント基板（５）は、第２キャビネット半体（３）の内面に突設したボス（３２）（３３）によって一定の高さ位置に支持される。
一方、第１プリント基板（４）は、第１キャビネット半体（２）の内面に突設したボス（２１）と第２キャビネット半体（３）の側面に突設した突片（３１）との間に、第１キャビネット半体（２）の内面から接近離間する方向の隙間Ｇ（０．２〜０．３ｍｍ）を残して拘持されている。
【０００６】
上述の如く、第１プリント基板（４）と第２プリント基板（５）の間に中間ブラケット（６）が介在し、保護シート（７）がＢＧＡ（４２）の表面に圧着することによって、プリント基板（４）（５）どうし並びにキャビネット（１）に対する組立構造強度が高まると共に、ＢＧＡ（４２）に作用する衝撃力が緩和される。
【０００７】
又、第１プリント基板（４）が第１キャビネット半体（２）の内面から接近離間する方向の遊びをもって拘持されているので、コネクター（４１）（５１）を半田付けしたときの浮きや、コネクター（４１）（５１）の嵌合のずれ等に起因して、図１８の如く第１プリント基板（４）が傾斜した姿勢で組み立てられた場合においても、第１キャビネット半体（２）のボス（２１）と第２キャビネット半体（３）の突片（３１）の間に設けられた隙間Ｇが第１プリント基板（４）の傾きを許容し、コネクター（４１）（５１）に無理な力が作用することはない。
又、図１９に鎖線で示すように、第１プリント基板（４）に反りが生じた場合にも、第１キャビネット半体（２）のボス（２１）と第２キャビネット半体（３）の突片（３１）との間に前記隙間Ｇが設けられているので、第１プリント基板（４）を撓んだままの姿勢で支持することが出来る。
【０００８】
尚、ＢＧＡ基板の支持構造として、プリント基板上に固定棒を介してＢＧＡ基板を支持した半導体装置が知られている（例えば特許文献１参照）。
又、プリント基板上に緩衝部材を介してＢＧＡを装着した実装構造が知られている（例えば特許文献２参照）。
【０００９】
【特許文献１】
特開平１０−２０９２１３号公報（
【００１３】、
【図１】）
【特許文献２】
特開２０００−１１４４３３号公報（
【００１２】、
【図１】）
【００１０】
【発明が解決しようとする課題】
しかしながら、図１６及び図１７に示す構造においては、図１８の如く第１プリント基板（４）が傾斜した姿勢で支持された場合、中間ブラケット（６）の表面に貼着された保護シート（７）がＢＧＡ（４２）の表面に密着せず、十分な保護効果が得られない問題があった。
又、図１９の如く第１プリント基板（４）の中央部が第２プリント基板（５）側に撓んでいる場合には、保護シート（７）がＢＧＡ（４２）の表面に過大な力で圧着することになり、却って保護効果が減殺される問題があった。
【００１１】
そこで本発明の目的は、携帯型電子機器において、プリント基板に傾斜や撓みが発生した場合にもプリント基板上の電子部品に対して十分な保護効果を得ることの出来る構造を提供することである。
【００１２】
【課題を解決する為の手段】
本発明に係る携帯型電子機器においては、第１キャビネット半体（２）と第２キャビネット半体（３）を組み合わせて構成されるキャビネット（１）の内部に、互いに電気的に接続された第１プリント基板（４）と第２プリント基板（５）が上下２段に配置されている。第１プリント基板（４）は第１キャビネット半体（２）の内面に取り付けられる一方、第２プリント基板（５）は第２キャビネット半体（３）の内面に取り付けられ、第１プリント基板（４）は、第１キャビネット半体（２）の内面に対して接近離間する方向の遊びをもって支持されている。
第１プリント基板（４）と第２プリント基板（５）の間には中間ブラケット（８）が介在している。該中間ブラケット（８）は、一対のブラケット部材（８１）（８２）の間にバネ（９）を介在させて構成され、該バネ（９）によって両ブラケット部材（８１）（８２）が互いに離間する方向に付勢され、一方のブラケット部材（８２）の表面が、第１プリント基板（４）に搭載された表面実装型の電子部品（ＢＧＡ）の表面に圧着している。
【００１３】
具体的構成において、前記一方のブラケット部材（８２）の表面には、保護シート（７）が貼り付けられ、該保護シート（７）が表面実装型の電子部品（ＢＧＡ）の表面に圧着している。
尚、バネ（９）は、両ブラケット部材（８１）（８２）とは別体のコイル状に形成され、或いは何れか一方のブラケット部材（８１）の一部を切り起こして屈曲腕状に形成されている。
【００１４】
上記本発明の携帯型電子機器においては、例えば第１プリント基板（４）が傾斜した姿勢で支持された場合には、第１プリント基板（４）の傾斜に応じて、中間ブラケット（８）を構成するバネ（９）が弾性により収縮又は伸張して、保護シート（７）が貼着されたブラケット部材（８２）の姿勢を調整し、これによって電子部品に対する保護シート（７）の密着状態が維持される。
又、第１プリント基板（４）の中央部が第２プリント基板（５）側に撓んで、中間ブラケット（８）と第１プリント基板（４）の間隔が小さくなった場合には、中間ブラケット（８）を構成するバネ（９）が弾性収縮して、保護シート（７）の電子部品に対する圧着力を適正値に保つ。
【００１５】
【発明の効果】
本発明に係る携帯型電子機器によれば、プリント基板に傾きや撓みが発生した場合にも中間ブラケットのバネが伸張、収縮して、プリント基板の傾きや撓みを吸収するので、プリント基板上の電子部品に対して十分な保護効果が得られる。
【００１６】
【発明の実施の形態】
以下、本発明を図１４に示す携帯型オーディオプレーヤに実施した形態につき、図面に沿って具体的に説明する。
本発明に係る携帯型オーディオプレーヤは、図１及び図３に示す如く、第１キャビネット半体（２）と第２キャビネット半体（３）を組み合わせて扁平なキャビネット（１）を構成しており、その内部には、第１プリント基板（４）と第２プリント基板（５）が上下２段に配置され、両プリント基板（４）（５）に設置された一対のコネクター（４１）（５１）が互いに嵌合して、両プリント基板（４）（５）が互いに電気的に接続されている。
両プリント基板（４）（５）にはそれぞれ複数の電子部品が搭載され、その中の１つの電子部品として、第１プリント基板（４）には、第２プリント基板（５）との対向面に、ＢＧＡ（４２）が表面実装されている。
【００１７】
第１プリント基板（４）と第２プリント基板（５）の間には、表面に保護シート（７）が貼着された中間ブラケット（８）が介在している。
中間ブラケット（８）は、図４及び図５に示す如く、第１ブラケット部材（８１）と第２ブラケット部材（８２）の間に４本の圧縮コイルバネ（９）（９）（９）（９）を介在させて構成され、該コイルバネによって両ブラケット部材（８１）（８２）が互いに離間する方向に付勢されている。
【００１８】
具体的には、第１ブラケット部材（８１）の両側部に第２ブラケット部材（８２）へ向けて突出する４本のピン（８４）（８４）（８４）（８４）が植立される一方、第２ブラケット部材（８２）の両側部にはＬ字状に屈曲する耳部（８５）（８５）が形成されている。各ピン（８４）にバネ（９）を装着した状態で第１ブラケット部材（８１）と第２ブラケット部材（８２）を組み合わせ、図２に示す如く、第１ブラケット部材（８１）と第２ブラケット部材（８２）の間にバネ（９）を介在せしめる。
【００１９】
中間ブラケット（８）は、第１ブラケット部材（８１）の両側部から下向きに突出する一対のフック（８３）（８３）を具え、該フック（８３）（８３）が図３の如く第２プリント基板（５）に開設された一対の貫通孔（５２）（５２）に係合することによって、第２プリント基板（５）上に取り付けられる。
【００２０】
図１に示す如く、第２プリント基板（５）は、第２キャビネット半体（３）の内面に突設したボス（３２）（３３）によって一定の高さ位置に支持される。
一方、第１プリント基板（４）は、第１キャビネット半体（２）の内面に突設したボス（２１）と第２キャビネット半体（３）の側面に突設した突片（３１）との間に、第１キャビネット半体（２）の内面から接近離間する方向の隙間Ｇ（０．２〜０．３ｍｍ）を残して拘持されている。
【００２１】
上述の如く、第１プリント基板（４）と第２プリント基板（５）の間に中間ブラケット（８）が介在し、保護シート（７）がＢＧＡ（４２）の表面に圧着することによって、プリント基板（４）（５）どうし並びにキャビネット（１）に対する組立構造強度が増大すると共に、ＢＧＡ（４２）に作用する衝撃力が緩和される。
【００２２】
又、第１プリント基板（４）が第１キャビネット半体（２）の内面から接近離間する方向の遊びをもって拘持されているので、コネクター（４１）（５１）を半田付けしたときの浮きや、組立時のコネクター（４１）（５１）の嵌合のずれ等に起因して、図６の如く第１プリント基板（４）が傾斜した姿勢で組み立てられた場合においても、第１キャビネット半体（２）のボス（２１）と第２キャビネット半体（３）の突片（３１）の間に設けられた隙間Ｇが第１プリント基板（４）の傾きを許容し、コネクター（４１）（５１）に無理な力が作用することはない。
又、第１プリント基板（４）の傾斜に応じて、中間ブラケット（８）に内蔵された４本のバネ（９）が収縮又は伸張して、保護シート（７）が貼着された第２ブラケット部材（８２）の姿勢を調整し、これによってＢＧＡ（４２）に対する保護シート（７）の密着状態が維持されるので、ＢＧＡ（４２）に対して十分な保護効果が得られる。
【００２３】
又、図７に鎖線で示すように、第１プリント基板（４）に反りが生じて、第１プリント基板（４）の中央部が第２プリント基板（５）側に撓んで場合にも、第１キャビネット半体（２）のボス（２１）と第２キャビネット半体（３）の突片（３１）との間に前記隙間Ｇが設けられているので、第１プリント基板（４）を撓んだままの姿勢で支持することが出来る。
この場合、中間ブラケット（８）と第１プリント基板（４）の間隔が小さくなるが、中間ブラケット（８）を構成するバネ（９）が弾性収縮して、両ブラケット部材（８１）（８２）の間隔が縮小するので、保護シート（７）のＢＧＡ（４２）に対する圧着力は適正値に保たれる。
【００２４】
図８〜図１３は、本発明を携帯型オーディオプレーヤに実施した他の形態を表わしている。
図８に示す如く、第１キャビネット半体（２）と第２キャビネット半体（３）を組み合わせてなるキャビネット（１）に、第１プリント基板（４）と第２プリント基板（５）が上下２段に配置され、両プリント基板（４）（５）に設置された一対のコネクター（４１）（５１）が互いに嵌合して、両プリント基板（４）（５）が互いに電気的に接続されている。又、第１プリント基板（４）には、第２プリント基板（５）との対向面に、ＢＧＡ（４２）が表面実装されている。
【００２５】
第１プリント基板（４）と第２プリント基板（５）の間には、表面に保護シート（７）が貼着された中間ブラケット（８）が介在している。
中間ブラケット（８）は、図１０及び図１１に示す如く、第１ブラケット部材（８１）と第２ブラケット部材（８２）を組み合わせて構成され、第１ブラケット部材（８１）の両側部には、第１ブラケット部材（８１）の一部を切り起こすことによって屈曲腕状の板バネ（９１）（９１）が形成されている。
板バネ（９１）は、図９に示す如く、第２ブラケット部材（８２）の耳部（８５）内に収容され、該バネによって両ブラケット部材（８１）（８２）が互いに離間する方向に付勢されている。
【００２６】
図１２の如く第１プリント基板（４）が傾斜した姿勢で組み立てられた場合には、第１プリント基板（４）の傾斜に応じて、中間ブラケット（８）のバネ（９１）（９１）が収縮又は伸張して、保護シート（７）が貼着された第２ブラケット部材（８２）の姿勢を調整し、これによってＢＧＡ（４２）に対する保護シート（７）の密着状態が維持される。
【００２７】
又、図１３に鎖線で示すように、第１プリント基板（４）に反りが生じて、第１プリント基板（４）の中央部が第２プリント基板（５）側に撓んで場合には、中間ブラケット（８）のバネ（９１）（９１）が弾性収縮して、両ブラケット部材（８１）（８２）の間隔が縮小し、これによって保護シート（７）のＢＧＡ（４２）に対する圧着力は適正値に保たれる。
【図面の簡単な説明】
【図１】本発明に係る携帯型電子機器の要部を示す断面図である。
【図２】中間ブラケットの要部を拡大して示す正面図である。
【図３】該携帯型電子機器の分解斜視図である。
【図４】該携帯型電子機器に装備される中間ブラケットの斜視図である。
【図５】該中間ブラケットの分解斜視図である。
【図６】該携帯型電子機器において第１プリント基板が傾斜した場合の中間ブラケットの動作を示す断面図である。
【図７】該携帯型電子機器において第１プリント基板が撓んだ場合の中間ブラケットの動作を示す断面図である。
【図８】本発明に係る携帯型電子機器の他の構成例を示す断面図である。
【図９】該携帯型電子機器の要部を拡大して示す側面図である。
【図１０】該携帯型電子機器に装備される中間ブラケットの斜視図である。
【図１１】該中間ブラケットの分解斜視図である。
【図１２】該携帯型電子機器において第１プリント基板が傾斜した場合の中間ブラケットの動作を示す断面図である。
【図１３】該携帯型電子機器において第１プリント基板が撓んだ場合の中間ブラケットの動作を示す断面図である。
【図１４】携帯型電子機器の外観を示す斜視図である。
【図１５】従来の中間ブラケットの斜視図である。
【図１６】従来の携帯型電子機器の分解斜視図である。
【図１７】該携帯型電子機器の断面図である。
【図１８】該携帯型電子機器において第１プリント基板が傾斜している状態を示す断面図である。
【図１９】該携帯型電子機器において第１プリント基板が撓んでいる状態を示す断面図である。
【符号の説明】
（１）　キャビネット
（２）　第１キャビネット半体
（３）　第２キャビネット半体
（４）　第１プリント基板
（４１）　コネクター
（４２）　ＢＧＡ
（５）　第２プリント基板
（５１）　コネクター
（７）　保護シート
（８）　中間ブラケット
（８１）　第１ブラケット部材
（８２）　第２ブラケット部材
（８３）　フック
（９）　バネ
【図１】
2004095976.tif 000003
【図２】
2004095976.tif 000004
【図３】
2004095976.tif 000005
【図４】
2004095976.tif 000006
【図５】
2004095976.tif 000007
【図６】
2004095976.tif 000008
【図７】
2004095976.tif 000009
【図８】
2004095976.tif 000010
【図９】
2004095976.tif 000011
【図１０】
2004095976.tif 000012
【図１１】
2004095976.tif 000013
【図１２】
2004095976.tif 000014
【図１３】
2004095976.tif 000015
【図１４】
2004095976.tif 000016
【図１５】
2004095976.tif 000017
【図１６】
2004095976.tif 000018
【図１７】
2004095976.tif 000019
【図１８】
2004095976.tif 000020
【図１９】
2004095976.tif 000021